(57)【特許請求の範囲】
【請求項１】
端末から、タグを指定する要求を受け付ける受付部、
前記受け付けられた要求に指定されたタグが付与されたアイテムを検索することにより、当該検索されたアイテムを含むリストを取得する検索部、
前記端末の画面に、前記取得されたリストを表示する表示部、
前記画面内にて前記リストがスクロールされることによって、前記リストに含まれるアイテムのそれぞれが前記画面内に出現してから前記画面内から消失するまでの、前記端末における可視時間を取得する取得部、
前記取得された可視時間が短小条件を満たすアイテムの前記タグに対する優先度を下げることにより、前記タグが指定された新たな要求が受け付けられることに起因して取得される新たなリスト内において当該短小条件を満たすアイテムの順位を下げ、もしくは、前記新たなリストから当該短小条件を満たすアイテムを削除する修正部
を備えることを特徴とするサーバ装置。
【請求項２】
前記修正部は、前記短小条件を満たすアイテムに前記リストが得られる起因となったタグを付与した付与者に、前記アイテムに付与された前記タグを修正するよう促す
ことを特徴とする請求項１に記載のサーバ装置。
【請求項３】
前記可視時間についての統計値、及び、前記アイテムが選択されるまでの選択時間についての統計値を求める統計部をさらに備え、
前記受付部は、複数の端末から要求を受け付け、
前記取得部は、前記複数の端末の各々における可視時間を取得し、
前記統計部は、
共通するタグを指定する要求を発した前記複数の端末の各々における前記可視時間の前記複数の端末全体における統計値を求め、
前記画面に表示されたリストからいずれかのアイテムが選択された事例において、当該選択されたアイテムの選択時間の統計値を求め、
前記修正部は、前記選択時間の統計値を前記短小条件の閾値として、前記可視時間の統計値が短小条件を満たすか否かを判断する
ことを特徴とする請求項１に記載のサーバ装置。
【請求項４】
前記統計値は、平均、減衰平均、中央値、又は、最頻値である
ことを特徴とする請求項３に記載のサーバ装置。
【請求項５】
前記統計部は、前記アイテムが前記画面に出現してから選択されるまでの時間を前記選択時間とする
ことを特徴とする請求項３に記載のサーバ装置。
【請求項６】
前記統計部は、前記複数の端末の各々の画面におけるスクロール方向の高さと、前記アイテムの可視時間と、から当該画面内における当該アイテムの移動速度を計算し、当該計算された移動速度の統計値を求め、
前記修正部は、前記移動速度の統計値が所定閾値より大きければ、前記短小条件を満たすと判断する
ことを特徴とする請求項３に記載のサーバ装置。
【請求項７】
サーバ装置が実行する制御方法であって、
前記サーバ装置が、端末から、タグを指定する要求を受け付ける受付工程、
前記サーバ装置が、前記受け付けられた要求に指定されたタグが付与されたアイテムを検索することにより、当該検索されたアイテムを含むリストを取得する検索工程、
前記サーバ装置が、前記端末の画面に、前記取得されたリストを表示する表示工程、
前記サーバ装置が、前記画面内にて前記リストがスクロールされることによって、前記リストに含まれるアイテムのそれぞれが前記画面内に出現してから前記画面内から消失するまでの、前記端末における可視時間を取得する取得工程、
前記サーバ装置が、前記取得された可視時間が短小条件を満たすアイテムの前記タグに対する優先度を下げることにより、前記タグが指定された新たな要求が受け付けられることに起因して取得される新たなリスト内において当該短小条件を満たすアイテムの順位を下げ、もしくは、前記新たなリストから当該短小条件を満たすアイテムを削除する修正工程
を備えることを特徴とする制御方法。
【請求項８】
コンピュータを、
端末から、タグを指定する要求を受け付ける受付部、
前記受け付けられた要求に指定されたタグが付与されたアイテムを検索することにより、当該検索されたアイテムを含むリストを取得する検索部、
前記端末の画面に、前記取得されたリストを表示する表示部、
前記画面内にて前記リストがスクロールされることによって、前記リストに含まれるアイテムのそれぞれが前記画面内に出現してから前記画面内から消失するまでの、前記端末における可視時間を取得する取得部、
前記取得された可視時間が短小条件を満たすアイテムの前記タグに対する優先度を下げることにより、前記タグが指定された新たな要求が受け付けられることに起因して取得される新たなリスト内において当該短小条件を満たすアイテムの順位を下げ、もしくは、前記新たなリストから当該短小条件を満たすアイテムを削除する修正部
として機能させることを特徴とするプログラム。
【請求項９】
コンピュータを、
端末から、タグを指定する要求を受け付ける受付部、
前記受け付けられた要求に指定されたタグが付与されたアイテムを検索することにより、当該検索されたアイテムを含むリストを取得する検索部、
前記端末の画面に、前記取得されたリストを表示する表示部、
前記画面内にて前記リストがスクロールされることによって、前記リストに含まれるアイテムのそれぞれが前記画面内に出現してから前記画面内から消失するまでの、前記端末における可視時間を取得する取得部、
前記取得された可視時間が短小条件を満たすアイテムの前記タグに対する優先度を下げることにより、前記タグが指定された新たな要求が受け付けられることに起因して取得される新たなリスト内において当該短小条件を満たすアイテムの順位を下げ、もしくは、前記新たなリストから当該短小条件を満たすアイテムを削除する修正部
として機能させることを特徴とするプログラムを記録した非一時的なコンピュータ読取可能な記録媒体。
【発明の詳細な説明】
【技術分野】
【０００１】
本発明は、サーバ装置、制御方法、プログラム、及び、記録媒体に関し、特に、リスト内のアイテムの表示に関するものである。
【背景技術】
【０００２】
従来、検索エンジンにおいてキーワードを指定して検索を行うことにより、インターネット上に存在するキーワードに関連する情報のリストが得られることが知られている。ユーザは、このリストに一覧表示されたアイテムについて、自身が望むものであるか否かを短時間で判断し、かなりのアイテムを読み飛ばしていることがわかっている。また、ユーザは、リストの先頭部分に表示されたアイテムが自身の望むものでないと判断すると、リストを最後まで確認せずに、再検索を行ったり、検索をやめてしまうことも多い。これらのような場合、実際にはユーザが関心のあるアイテムがリストに含まれていたとしても、ユーザは見落してしまうことがあった。【０００３】
一方で、ユーザの動向をユーザに提供する情報に反映させる技術が知られている。例えば、特許文献１には、充実したコンテンツを開発するために、ユーザに提供したＷＥＢページに対するユーザの閲覧状況を把握する技術が開示されている。
【先行技術文献】
【特許文献】
【０００４】
【特許文献１】特開２００７−３１６９３４号公報
【発明の概要】
【発明が解決しようとする課題】
【０００５】
キーワードから検索したアイテムが多数リストに含まれると上記のような見落としが発生しやすいという問題があり、このような問題を、ユーザの動向を解析することにより、防ぎたいという要望がある。【０００６】
本発明は、上記のような課題を解決するもので、ユーザが関心のあるアイテムをリスト内で優先的に表示するのに好適なサーバ装置、制御方法、プログラム、及び、記録媒体を提供することを目的とする。
【課題を解決するための手段】
【０００７】
本発明の第１の観点に係るサーバ装置は、
端末から、タグを指定する要求を受け付ける受付部、
前記受け付けられた要求に指定されたタグが付与されたアイテムを検索することにより、当該検索されたアイテムを含むリストを取得する検索部、
前記端末の画面に、前記取得されたリストを表示する表示部、
前記画面内にて前記リストがスクロールされることによって、前記リストに含まれるアイテムのそれぞれが前記画面内に出現してから前記画面内から消失するまでの、前記端末における可視時間を取得する取得部、
前記取得された可視時間が短小条件を満たすアイテムの前記タグに対する優先度を下げることにより、前記タグが指定された新たな要求が受け付けられることに起因して取得される新たなリスト内において当該短小条件を満たすアイテムの順位を下げ、もしくは、前記新たなリストから当該短小条件を満たすアイテムを削除する修正部
を備えることを特徴とする。【０００８】
また、上記観点に係るサーバ装置において、
前記修正部は、前記短小条件を満たすアイテムに前記リストが得られる起因となったタグを付与した付与者に、前記アイテムに付与された前記タグを修正するよう促す
ことを特徴とする。【０００９】
また、上記観点に係るサーバ装置において、
前記可視時間についての統計値、及び、前記アイテムが選択されるまでの選択時間についての統計値を求める統計部をさらに備え、
前記受付部は、複数の端末から要求を受け付け、
前記取得部は、前記複数の端末の各々における可視時間を取得し、
前記統計部は、
共通するタグを指定する要求を発した前記複数の端末の各々における前記可視時間の前記複数の端末全体における統計値を求め、
前記画面に表示されたリストからいずれかのアイテムが選択された事例において、当該選択されたアイテムの選択時間の統計値を求め、
前記修正部は、前記選択時間の統計値を前記短小条件の閾値として、前記可視時間の統計値が短小条件を満たすか否かを判断する
ことを特徴とする。【００１０】
また、上記観点に係るサーバ装置において、
前記統計値は、平均、減衰平均、中央値、又は、最頻値である
ことを特徴とする。【００１１】
また、上記観点に係るサーバ装置において、
前記統計部は、前記アイテムが前記画面に出現してから選択されるまでの時間を前記選択時間とする
ことを特徴とする。【００１２】
また、上記観点に係るサーバ装置において、
前記統計部は、前記複数の端末の各々の画面におけるスクロール方向の高さと、前記アイテムの可視時間と、から当該画面内における当該アイテムの移動速度を計算し、当該計算された移動速度の統計値を求め、
前記修正部は、前記移動速度の統計値が所定閾値より大きければ、前記短小条件を満たすと判断する
ことを特徴とする。【００１３】
本発明の第２の観点に係る制御方法は、
サーバ装置が実行する制御方法であって、
前記サーバ装置が、端末から、タグを指定する要求を受け付ける受付工程、
前記サーバ装置が、前記受け付けられた要求に指定されたタグが付与されたアイテムを検索することにより、当該検索されたアイテムを含むリストを取得する検索工程、
前記サーバ装置が、前記端末の画面に、前記取得されたリストを表示する表示工程、
前記サーバ装置が、前記画面内にて前記リストがスクロールされることによって、前記リストに含まれるアイテムのそれぞれが前記画面内に出現してから前記画面内から消失するまでの、前記端末における可視時間を取得する取得工程、
前記サーバ装置が、前記取得された可視時間が短小条件を満たすアイテムの前記タグに対する優先度を下げることにより、前記タグが指定された新たな要求が受け付けられることに起因して取得される新たなリスト内において当該短小条件を満たすアイテムの順位を下げ、もしくは、前記新たなリストから当該短小条件を満たすアイテムを削除する修正工程
を備えることを特徴とする。【００１４】
本発明の第３の観点に係るプログラムは、
コンピュータを、
端末から、タグを指定する要求を受け付ける受付部、
前記受け付けられた要求に指定されたタグが付与されたアイテムを検索することにより、当該検索されたアイテムを含むリストを取得する検索部、
前記端末の画面に、前記取得されたリストを表示する表示部、
前記画面内にて前記リストがスクロールされることによって、前記リストに含まれるアイテムのそれぞれが前記画面内に出現してから前記画面内から消失するまでの、前記端末における可視時間を取得する取得部、
前記取得された可視時間が短小条件を満たすアイテムの前記タグに対する優先度を下げることにより、前記タグが指定された新たな要求が受け付けられることに起因して取得される新たなリスト内において当該短小条件を満たすアイテムの順位を下げ、もしくは、前記新たなリストから当該短小条件を満たすアイテムを削除する修正部
として機能させることを特徴とする。【００１５】
本発明の第４の観点に係る非一時的なコンピュータ読取可能な記録媒体は、
コンピュータを、
端末から、タグを指定する要求を受け付ける受付部、
前記受け付けられた要求に指定されたタグが付与されたアイテムを検索することにより、当該検索されたアイテムを含むリストを取得する検索部、
前記端末の画面に、前記取得されたリストを表示する表示部、
前記画面内にて前記リストがスクロールされることによって、前記リストに含まれるアイテムのそれぞれが前記画面内に出現してから前記画面内から消失するまでの、前記端末における可視時間を取得する取得部、
前記取得された可視時間が短小条件を満たすアイテムの前記タグに対する優先度を下げることにより、前記タグが指定された新たな要求が受け付けられることに起因して取得される新たなリスト内において当該短小条件を満たすアイテムの順位を下げ、もしくは、前記新たなリストから当該短小条件を満たすアイテムを削除する修正部
として機能させることを特徴とするプログラムを記録する。【００１６】
上記記録媒体は、非一時的な（non-transitory）記録媒体であってよく、コンピュータとは独立して配布・販売することができる。ここで、非一時的な記録媒体とは、有形な（tangible）記録媒体をいう。非一時的な記録媒体は、例えば、コンパクトディスク、フレキシブルディスク、ハードディスク、光磁気ディスク、ディジタルビデオディスク、磁気テープ、半導体メモリ等である。また、一時的な（transitory）記録媒体とは、伝送媒体（伝搬信号）それ自体を示す。一時的な記録媒体は、例えば、電気信号、光信号、電磁波等である。なお、一時的な（temporary）記憶領域とは、データやプログラムを一時的に記憶するための領域であり、例えば、ＲＡＭ（Random Access Memory）等の揮発性メモリである。
【発明の効果】
【００１７】
本発明によれば、ユーザが関心のあるアイテムをリスト内で優先的に表示するのに好適なサーバ装置、制御方法、プログラム、及び、記録媒体を提供することができる。
【図面の簡単な説明】
【００１８】
【図１】本発明の実施形態に係るサーバ装置と、ショッパー端末と、ショップ端末との関係を示す図である。
【図２】サーバ装置と、ショッパー端末と、の間で行われる通信の例を示す図である。
【図３】本発明の実施形態に係るサーバ装置が実現される典型的な情報処理装置の概要構成を示す図である。
【図４】実施形態１に係るサーバ装置の概要構成を示す図である。
【図５】リストを説明するための図である。
【図６】ブラウザに表示されるリストを説明するための図である。
【図７】ブラウザに表示されるリストを説明するための図である。
【図８】実施形態１に係る可視時間情報テーブルを説明するための図である。
【図９】修正されたリストを説明するための図である。
【図１０】タグの付与者に提示されるメッセージの例を説明するための図である。
【図１１】実施形態１に係るサーバ装置が行う制御処理を説明するためのフローチャートである。
【図１２】実施形態２に係るサーバ装置の概要構成を示す図である。
【図１３】実施形態２に係る可視時間情報テーブルを説明するための図である。
【図１４】実施形態２に係るサーバ装置が行う制御処理を説明するためのフローチャートである。
【図１５】実施形態３に係るサーバ装置の概要構成を示す図である。
【図１６】実施形態３に係るサーバ装置が行う制御処理を説明するためのフローチャートである。
【発明を実施するための形態】
【００１９】
（１．全体構成）
本発明の実施形態に係るサーバ装置１００は、図１に示すように、インターネット４００に接続される。インターネット４００には、サーバ装置１００と、ショッパー端末２０１、２０２〜２０ｍ（以下、これらを総称して「ショッパー端末２００」という）と、ショップ端末３０１、３０２〜３０ｎ（以下、これらを総称して「ショップ端末３００」という）と、が接続されている。
【００２０】
サーバ装置１００は、電子市場のショッピングサイトにおいて検索されたアイテムのリストを、検索したショッパーに提供する装置である。また、サーバ装置１００は、インターネット上で商品やサービスの売買が行われる電子市場を管理する機能を有していてもよい。
【００２１】
ショッパー端末２００は、電子市場においてショップが販売する商品の閲覧・購入を行うショッパーが使用する端末である。
【００２２】
ショップ端末３００は、電子市場において商品を販売するショップが使用する端末である。
【００２３】
図２に、本願において、サーバ装置１００とショッパー端末２００との間で行われる通信の一例を示す。
【００２４】
まず、あるショッパー端末２０１が、検索ワードが指定された要求を送信する（Ｓ１）。
【００２５】
サーバ装置１００は、要求を受け付けると検索ワードに対応づけられたアイテムを検索して、検索されたアイテムを含むリストを得る。そして、サーバ装置１００は、リストを、要求を送信したショッパー端末２０１に送信する（Ｓ２）。
【００２６】
ショッパー端末２０１は、受信したリストを画面に表示する（Ｓ３）。
【００２７】
ショッパー端末２０１は、リスト内の各アイテムについて可視時間を計測する（Ｓ４）。
【００２８】
ショッパー端末２０１は、計測した可視時間をサーバ装置１００に送信する（Ｓ５）。
【００２９】
サーバ装置１００は、受信した可視時間に基づいて、リストを修正する（Ｓ６）。
【００３０】
他のショッパー端末２０２が、検索ワードが指定された要求を送信する（Ｓ７）。
【００３１】
サーバ装置１００は、修正した新たなリストを、要求を送信したショッパー端末２０２に送信する（Ｓ８）。
【００３２】
なお、サーバ装置１００とショッパー端末２００との通信は上記の例に限らず、例えば、サーバ装置１００は、新たに要求を受け付けた後に、リストを修正するようにしてもよい。
【００３３】
（２．情報処理装置の概要構成）
本発明の実施形態に係るサーバ装置１００が実現される典型的な情報処理装置６００の概要構成について説明する。
【００３４】
情報処理装置６００は、図３に示すように、ＣＰＵ（Central Processing Unit）６０１と、ＲＯＭ（Read Only Memory）６０２と、ＲＡＭ（Random Access Memory）６０３と、記憶装置６０４と、ＮＩＣ（Network Interface Card）６０５と、画像処理部６０６と、音声処理部６０７と、ディスプレイ６０８と、スピーカ６０９と、コントローラ６１０と、を備える。
【００３５】
ＣＰＵ  ６０１は、情報処理装置６００全体の動作を制御し、各構成要素と接続され、制御信号やデータをやりとりする。
【００３６】
ＲＯＭ  ６０２には、情報処理装置６００全体の動作制御に必要なオペレーティングシステムのプログラムや各種のデータが記録される。
【００３７】
ＲＡＭ  ６０３は、データやプログラムを一時的に記憶するためのもので、記憶装置６０４から読み出したプログラムやデータ、その他、通信に必要なデータ等が保持される。
【００３８】
記憶装置６０４は、ハードディスクやフラッシュメモリ等から構成され、情報処理装置６００で処理するデータを記憶する。また、記憶装置６０４は、ＣＤ（Compact Disc）等の記録媒体からデータを読み出すデバイス等を備えるように構成されてもよい。
【００３９】
ＮＩＣ  ６０５は、情報処理装置６００をインターネット等のコンピュータ通信網に接続するためのものであり、ＮＩＣ  ６０５を介して他の情報処理装置等とやりとりをする。
【００４０】
画像処理部６０６は、記憶装置等から読み出されたデータをＣＰＵ  ６０１や画像処理部６０６が備える画像演算プロセッサによって加工処理し、画像処理部６０６が備えるフレームメモリに記録する。フレームメモリに記録された画像情報は、所定の同期タイミングでビデオ信号に変換され、ディスプレイ６０８に出力される。
【００４１】
音声処理部６０７は、記憶装置等から読み出されたデータをアナログ音声信号に変換し、スピーカ６０９から出力させる。
【００４２】
コントローラ６１０は、ユーザからの指示入力を受け付ける。
【００４３】
以下、上記情報処理装置６００において実現されるサーバ装置１００について、図１乃至図１６を参照して説明する。情報処理装置６００に電源が投入されると、実施形態に係るサーバ装置１００として機能させるプログラムが実行され、実施形態に係るサーバ装置１００が実現される。
【００４４】
（３．実施形態１のサーバ装置の概要構成）
実施形態１のサーバ装置１００は、タグを指定したユーザの可視時間に基づいてリストを修正するものである。
【００４５】
実施形態１のサーバ装置１００は、図４に示すように、受付部１０１と、検索部１０２と、表示部１０３と、取得部１０４と、修正部１０５と、から構成される。
【００４６】
本実施形態及び以下に示す実施形態において、ＣＰＵ  ６０１及びＮＩＣ  ６０５が協働して、受付部１０１、検索部１０２、表示部１０３、及び、取得部１０４として機能する。また、ＣＰＵ  ６０１が修正部１０５として機能する。また、本実施形態及び以下に示す実施形態において、電子市場のショッパーを、タグを指定するユーザの例として、サーバ装置１００の機能について説明する。
【００４７】
受付部１０１は、端末から、タグを指定する要求を受け付ける。
【００４８】
タグとは、例えば、電子市場で扱われる商品の特徴を示す語であり、ショップや電子市場の管理者が付与するものである。タグは、同じ商品について異なるショップ等が異なるタグを付与して販売することができる。
【００４９】
例えば、ショッパーＸが、サーバ装置１００が提供するショッピングサイトにおいて、タグ“ＡＡＡ”を指定して検索をかけると、受付部１０１は、ショッパーＸのショッパー端末２００からタグ“ＡＡＡ”が指定された検索要求を受け付ける。
【００５０】
検索部１０２は、受け付けられた要求に指定されたタグが付与されたアイテムを検索することにより、当該検索されたアイテムを含むリストを取得する。
【００５１】
アイテムとは、例えば、電子市場で扱われる商品である。
【００５２】
例えば、検索部１０２は、電子市場の商品を検索する検索エンジンに対しタグ“ＡＡＡ”を検索ワードとして検索し、タグ“ＡＡＡ”が付与された商品１、２〜４５のリスト５１０（図５）を取得する。リスト５１０には、商品１〜４５の情報５００１〜５０４５が含まれる。
【００５３】
表示部１０３は、端末の画面に、取得されたリストを表示する。
【００５４】
例えば、表示部１０３は、取得したリスト５１０を、ショッパーＸのショッパー端末２００に送信し、ショッパー端末２００は、ショッパー端末２００の画面にリスト５１０を表示する。
【００５５】
取得部１０４は、画面内にてリストがスクロールされることによって、リストに含まれるアイテムのそれぞれが画面内に出現してから画面内から消失するまでの、端末における可視時間を取得する。
【００５６】
例えば、ショッパー端末２００の画面のブラウザ８００が表示され、図６に示すように、ブラウザ８００内にリスト５１０の一部が表示される。図６は、リスト５１０が最初にブラウザ８００に表示された状態を示す。この状態では、商品１〜４についての情報５００１〜５００４がブラウザ８００内に表示されている。そして、図７は、スクロールにより、商品１の情報５００１がブラウザ８００から消えた様子を示す。このような場合、取得部１０４は、商品１の情報５００１が、ブラウザ８００に表示されてから（図６）、ブラウザ８００から消えるまで（図７）までの時間を、可視時間として取得する。取得部１０４は、同様に、リスト５１０に含まれる商品２の情報５００２、・・・、商品４５の情報５０４５について可視時間を取得する。
【００５７】
本実施形態に係るリストは、ＨＴＭＬ（Hyper Text Markup Language）形式、又は、ＸＨＴＭＬ（Extensible Hyper Text Markup Language）形式で構成されているとし、ＪａｖａＳｃｒｉｐｔ（登録商標）等のスクリプト言語で記載されたプログラムが指定されるとする。取得部１０４の機能は、当該プログラムがショッパー端末２００のブラウザ上で動作することにより実現される。すなわち、当該プログラムが動作することにより、ショッパー端末２００において可視時間が計測されて、サーバ装置１００に送信され、取得部１０４がこれを取得する。
【００５８】
取得部１０４は、例えば、可視時間情報ＤＢ  ７００に格納される可視時間情報テーブル７００ａに、可視時間に関する情報を登録する。可視時間情報ＤＢ  ７００はサーバ装置１００が有していても良いし、外部の装置であっても良い。
【００５９】
図８の可視時間情報テーブル７００ａには、指定されたタグ７００ａ１と、タグから検索されたリストに含まれる商品の商品ＩＤ  ７００ａ２と、当該商品を販売するショップのショップＩＤ  ７００ａ３と、タグを指定したショッパーのショッパーＩＤ  ７００ａ４と、ショッパーによる可視時間（単位：秒）７００ａ５と、が対応付けて登録されている。
【００６０】
図８の可視時間情報テーブル７００ａの１行目は、タグ“ＡＡＡ”に基づき検索されたリストには商品１（商品ＩＤ“１”）が含まれ、商品１はショップａ１（ショップＩＤ“ａ１”）により販売され、タグを指定したショッパーＸ（ショッパーＩＤ“Ｘ”）による商品１の可視時間は“０．２”秒であることを示す。
【００６１】
修正部１０５は、取得された可視時間が短小条件を満たすアイテムのタグに対する優先度を下げることにより、タグが指定された新たな要求が受け付けられることに起因して取得される新たなリスト内において当該短小条件を満たすアイテムの順位を下げ、もしくは、新たなリストから当該短小条件を満たすアイテムを削除する。
【００６２】
短小条件とは、可視時間の値が所定の値より短いことを判定するための条件である。所定の値は、その値以下であると閲覧者の興味の度合いが低いと考えられる値であれば、どの様な値でも良い。例えば、所定の値は、人間が一つの情報を理解して反応するのに要すると考えられる時間（例えば、０．３秒）である。可視時間がこのような値より短いということは、アイテムを読み飛ばした、或いは、アイテムを認識したが、興味がなかったと考えることができる。したがって、短小条件を満たす可視時間のアイテムは、リストの閲覧者であるユーザの興味の度合いが低いものと考えられる。
【００６３】
本実施形態において、短小条件は、０．３秒よりも短い、という条件であるとする。
【００６４】
また、優先度とは、リストにおいて優先してアイテムを表示する度合いを示すものであり、優先度が低いと、そのアイテムは、リストにおいて目立たない、あるいは、リストが最初に画面に表示されてからアイテムがユーザに見えるようになるまでに時間がかかるように表示される。
【００６５】
修正部１０５は、ショッパーＸによる商品１〜４５の可視時間が０．３秒より短い商品を特定する。例えば、商品１及び商品３の可視時間が０．３秒より短いとする。修正部１０５は、受付部１０１がショッパーＸから再度、タグ“ＡＡＡ”を指定した要求を受け付けると、リスト５１０の商品１及び商品３を最も下方に配置するよう、商品の並びを修正し、リスト５２０（図９）を得る。なお、修正部１０５は、リスト５１０から商品１及び商品３を削除してもよい。
【００６６】
そして、表示部１０３は、リスト５２０を、ショッパーＸの端末に送信し、リスト５２０が画面に表示される。
【００６７】
本実施形態によれば、タグに対応付けられるアイテムのリストを要求したユーザにとって、興味の度合いが高いアイテムを、リスト内において優先的に表示することができ、ユーザに有益なリストを提供することができる。
【００６８】
なお、上記では、タグ“ＡＡＡ”を検索したショッパーＸの可視時間をリストの修正に用い、再度同じタグ“ＡＡＡ”を検索したショッパーＸに、修正したリストを提供する例を記したが、可視時間を求めたショッパーと、修正したリストが提供されるショッパーは異なっていてもよい。例えば、タグ“ＡＡＡ”を検索したショッパーＸの可視時間をリストの修正に用い、“ＡＡＡ”を検索したショッパーＹに、修正したリストを提供する。
【００６９】
このような構成により、他のユーザの閲覧傾向に基づいて、リストを有益な内容に修正することができる。
【００７０】
また、修正部１０５は、短小条件を満たすアイテムにリストが得られる起因となったタグを付与した付与者に、アイテムに付与されたタグを修正するよう促す。
【００７１】
付与者とは、例えば、ショップや電子市場の管理者である。
【００７２】
例えば、修正部１０５は、短小条件を満たした商品１に対してタグ“ＡＡＡ”を付したショップａ１に、商品１に対するタグ“ＡＡＡ”について修正の必要があることを通知するメッセージ９００（図１０）を送信する。同様に、修正部１０５は、短小条件を満たした商品３に対してタグ“ＡＡＡ”を付したショップｃ３に対して、修正の必要があることを通知するメッセージを送信する。
【００７３】
短小条件を満たす商品は、あるタグを指定して検索したショッパーにとっては、興味の度合いが低いものと見なすことができ、タグを指定した者が期待する商品ではなかった可能性が高い。これは、タグと商品との対応が、適当でない、または、誤っている可能性があるので、タグを付与したショップに修正を促す必要がある。
【００７４】
本実施形態によれば、タグ付けの誤りの可能性があるアイテムを検出して、タグの修正を付与者に促すことができ、ユーザに、より有益なアイテムが含まれるリストの提供を図ることができる。
【００７５】
（４．実施形態１のサーバ装置の動作）
本実施形態のサーバ装置１００の動作について説明する。サーバ装置１００は、例えば、電源が投入されると、図１１に示す制御処理を開始する。
【００７６】
受付部１０１は、端末から、タグが指定された要求を受け付けたか否かを判断する（ステップＳ１０１）。受付部１０１が、タグが指定された要求を受け付けたと判断すると（ステップＳ１０１；Ｙｅｓ）、検索部１０２は、当該タグが付与されたアイテムを検索して、当該アイテムが含まれるリストを取得する（ステップＳ１０２）。一方、受付部１０１が、タグが指定された要求を受け付けていないと判断すると（ステップＳ１０１；Ｎｏ）、そのまま待機する。
【００７７】
例えば、受付部１０１が、ショッパーＸのショッパー端末２００から、タグ“ＡＡＡ”が指定された要求を受け付けたとすると、検索部１０２は、検索エンジンに対しタグ“ＡＡＡ”を検索ワードとして検索し、タグ“ＡＡＡ”が付与された商品１、２〜４５のリスト５１０（図５）を取得する。一方、いずれのショッパー端末２００からも要求を受け付けない場合は、そのまま待機する。
【００７８】
修正部１０５は、要求に指定されたタグが、初めて指定されたタグであるか否かを判断する（ステップＳ１０３）。修正部１０５が、初めて指定されたタグであると判断すると（ステップＳ１０３；Ｙｅｓ）、表示部１０３は、得られたリストを端末の画面に表示させる（ステップＳ１０４）。そして、取得部１０４は、画面内にてリストがスクロールされることによって、リストに含まれるアイテムのそれぞれが画面内に出現してから画面内から消失するまでの、端末における可視時間を取得する（ステップＳ１０５）。
【００７９】
一方、修正部１０５が、初めて指定されたタグでないと判断すると（ステップＳ１０３；Ｎｏ）、修正部１０５は、指定されたタグが付与されたアイテムの、過去に取得された可視時間に基づいて、リストを修正する（ステップＳ１０６）。そして、ステップＳ１０４に進む。
【００８０】
例えば、タグ“ＡＡＡ”が初めて指定されたタグである場合、表示部１０３は、取得したリスト５１０を、ショッパーＸのショッパー端末２００に送信し、ショッパー端末２００は、ショッパー端末２００の画面にリスト５１０を表示する。
【００８１】
そして、取得部１０４は、ショッパー端末２００の画面のブラウザ８００にリスト５１０が表示され、リスト５１０に含まれる各商品の情報５００１〜５０４５がブラウザ８００内に出現してから消失するまでの時間を取得する。取得部１０４は、取得した可視時間を、タグ及びアイテム等に対応付けて、可視時間情報テーブル７００ａに登録する。
【００８２】
一方、タグ“ＡＡＡ”がショッパーＸや他のショッパーにより過去に指定されたことのあるタグである場合、修正部１０５は、可視時間情報テーブル７００ａを参照して、タグ“ＡＡＡ”に対応付けられた商品の可視時間を求める。そして、修正部１０５は、各商品の可視時間が短小条件を満たすか否かを判断する。修正部１０５は、短小条件を満たす可視時間の商品を、タグ“ＡＡＡ”に基づいて得られたリスト５１０内で、表示に関する優先度を下げる等して、リスト５１０の修正をする。そして、表示部１０３は、修正されたリスト５２０を、タグ“ＡＡＡ”を指定したショッパーＸのショッパー端末２００に送信し、修正されたリストが表示される。
【００８３】
そして、取得部１０４は、修正されたリストが表示されたショッパー端末２００において、リストに含まれる各商品の情報の可視時間を取得する。
【００８４】
（５．実施形態２のサーバ装置の概要構成）
実施形態２のサーバ装置１００は、共通のタグを指定した複数のユーザの可視時間に基づいて、リストを修正するものである。
【００８５】
実施形態２のサーバ装置１００は、図１２に示すように、受付部１０１と、検索部１０２と、表示部１０３と、取得部１０４と、修正部１０５と、統計部１０６と、から構成される。本実施形態において、検索部１０２及び表示部１０３は、実施形態１と同様の機能を有する。以下、受付部１０１、取得部１０４、及び、修正部１０５の実施形態１と異なる機能、並びに、統計部１０６の機能について説明する。
【００８６】
本実施形態及び以下に示す実施形態において、ＣＰＵ  ６０１が統計部１０６として機能する。
【００８７】
受付部１０１は、複数の端末から要求を受け付ける。
【００８８】
例えば、受付部１０１は、ショッパーＸ、Ｙ、Ｚ、Ｗ、Ｖ等のそれぞれのショッパー端末２００から様々なタグが指定された要求を受け付ける。
【００８９】
取得部１０４は、複数の端末の各々における可視時間を取得する。
【００９０】
例えば、取得部１０４は、ショッパーＸ、Ｙ、Ｚ、Ｗ、Ｖ等のそれぞれのショッパー端末２００において、各ショッパーが指定したタグから得られたリストに含まれる商品について、可視時間を取得する。
【００９１】
取得部１０４は、例えば、可視時間情報ＤＢ  ７００に格納される可視時間情報テーブル７００ａに、複数のショッパーについて取得した可視時間に関する情報を登録する。また、取得部１０４は、リスト内の商品が選択されると、選択までの選択時間を取得するようにしてもよい。そして、取得した選択情報も可視時間情報テーブル７００ａに登録する。
【００９２】
図１３の可視時間情報テーブル７００ａには、指定されたタグ７００ａ１と、タグから検索されたリストに含まれる商品の商品ＩＤ  ７００ａ２と、当該商品を販売するショップのショップＩＤ  ７００ａ３と、タグを指定したショッパーのショッパーＩＤ  ７００ａ４と、ショッパーによる可視時間（単位：秒）７００ａ５と、選択時間（単位：秒）７００ａ６と、が対応付けて登録されている。
【００９３】
図１３の可視時間情報テーブル７００ａの１行目は、タグ“ＡＡＡ”に基づき検索されたリストには商品１（商品ＩＤ“１”）が含まれ、商品１はショップａ１（ショップＩＤ“ａ１”）により販売され、タグを指定したショッパーＸ（ショッパーＩＤ“Ｘ”）による商品１の可視時間は“０．２”秒であり、選択時間は取得されていない（すなわち、商品１は選択されていない）ことを示す。
【００９４】
統計部１０６は、可視時間についての統計値、及び、アイテムが選択されるまでの選択時間についての統計値を求める。
【００９５】
統計部１０６が求める統計値は、平均、減衰平均、中央値、又は、最頻値である。
【００９６】
統計部１０６は、共通するタグを指定する要求を発した複数の端末の各々における可視時間の複数の端末全体における統計値を求める。
【００９７】
例えば、ショッパーＸ、Ｙ、Ｚがそれぞれ、共通するタグ“ＡＡＡ”を指定した要求を送信し、ショッパーＷ、Ｖはタグ“ＡＡＡ”とは異なるタグを指定した要求を送信したとすると、統計部１０６は、ショッパーＸ、Ｙ、Ｚについて取得された各商品の可視時間について統計値を求める。
【００９８】
例えば、統計部１０６は、図１３の可視時間情報テーブル７００ａを参照して、ショッパーＸ、Ｙ、Ｚによる商品１の可視時間の平均値、中央値、又は、最頻値を求める。或いは、統計部１０６は、商品１の可視時間の減衰平均を求める。ここで、減衰平均とは、より過去に求められたサンプル値ほど重み付けを軽くした平均である。例えば、ショッパーＸ、Ｙ、Ｚの順に可視時間が得られたとすると、ショッパーＸの可視時間に、０．８を乗じ、ショッパーＹの可視時間に１．０を乗じ、ショッパーＺの可視時間に１．２を乗じて、それらの和の平均を求める。
【００９９】
また、統計部１０６は、画面に表示されたリストからいずれかのアイテムが選択された事例において、当該選択されたアイテムの選択時間の統計値を求める。
【０１００】
例えば、アイテム（商品）が画面に出現してから選択されるまでの時間を選択時間とする。または、アイテムを含むリストが画面に表示されてから選択されるまでの時間を選択時間としてもよい。または、あるアイテムが選択された後、次のアイテムが選択されるまでの時間を次のアイテムの選択時間としてもよい。
【０１０１】
例えば、統計部１０６は、図１３の可視時間情報テーブル７００ａに記録されている選択時間の平均、減衰平均、中央値、又は、最頻値を求める。この統計値は、ショッパー毎に求めてもよいし、ショッパー全体で求めてもよい。
【０１０２】
修正部１０５は、選択時間の統計値を短小条件の閾値として、可視時間の統計値が短小条件を満たすか否かを判断する。
【０１０３】
例えば、選択時間の統計値が“５．０”秒と求められたとすると、修正部１０５は、短小条件の閾値“５．０”秒とする。商品１の可視時間の統計値が“１．０”秒と求められたとすると、修正部１０５は、商品１の可視時間は、閾値“５”秒より短いので、短小条件を満たすと判断する。そして、修正部１０５は、短小条件を満たした商品１を、次に、タグ“ＡＡＡ”が指定された検索が行われた際に提示するリストにおいて、表示の優先度を下げる、或いは削除する。
【０１０４】
本実施形態によれば、複数のユーザの興味の度合いを反映して、リスト内のアイテムの配置を修正することができる。
【０１０５】
また、代表的な選択時間よりも短い時間しかユーザにより見られなかったアイテムは、選択されない可能性が高い。よって、このようなアイテムの優先度を下げる或いは削除することにより、選択される可能性の高いアイテムを優先的に表示することができる。
【０１０６】
なお、統計部１０６は、複数の端末の各々の画面におけるスクロール方向の高さと、アイテムの可視時間と、から当該画面内における当該アイテムの移動速度を計算し、当該計算された移動速度の統計値を求めてもよい。
【０１０７】
例えば、リスト５１０に含まれる商品４の情報５００４が、図６に示すようにブラウザ８００に表示されてから、ブラウザ８００の上方に消えてゆくまでの可視時間が３秒であったとする。また、統計部１０６は、図６の画面のスクロール方向の高さ８０１を“１５ｃｍ”と求めたとする。この場合、統計部１０６は、商品４の情報５００４の画面における移動速度を“５ｃｍ／秒”と求める。
【０１０８】
そして、修正部１０５は、移動速度の統計値が所定閾値より大きければ、短小条件を満たすと判断してもよい。
【０１０９】
例えば、統計部１０６は、タグ“ＡＡＡ”を指定したショッパーＸ、Ｙ、Ｚについて、各商品の移動速度を求め、求めた値から平均値等の統計値を求める。そして、修正部１０５は、タグ“ＡＡＡ”及び他のタグから得られたリスト内におけるアイテムの移動速度の平均値を所定閾値とする。そして、修正部１０５は、所定閾値よりも商品の移動速度が大きい場合、すなわち、平均的な移動速度よりも早い場合、当該商品の優先度を下げる、又は削除する。なお、所定閾値となる移動速度はショッパー毎に求めてもよいし、全ショッパーについて求めてもよい。
【０１１０】
このような構成により、早く読み飛ばされているアイテムについて、表示の優先度を下げる或いは削除することができる。
【０１１１】
（６．実施形態２のサーバ装置の動作）
本実施形態のサーバ装置１００の動作について説明する。なお、図１４のフローチャートのステップＳ２０１〜Ｓ２０５の処理は、図１１のフローチャートのステップＳ１０１〜Ｓ１０５の処理と同様である。したがって、これらの処理については省略する。
【０１１２】
ステップＳ２０３において、修正部１０５が、要求で指定されたタグが初めて指定されたタグでないと判断すると（ステップＳ２０３；Ｎｏ）、統計部１０６は、指定されたタグに対応付けられたアイテムであって、当該アイテムに対してこれまで求められた可視時間の統計値と、ステップＳ２０８で取得される選択時間の統計値とを求める（ステップＳ２０６）。
【０１１３】
例えば、統計部１０６は、図１３の可視時間情報テーブル７００ａを参照して、指定されたタグ“ＡＡＡ”に対応付けられる商品毎に可視時間の平均、減衰平均、中央値、又は、最頻値を求める。
【０１１４】
また、統計部１０６は、図１３の可視時間情報テーブル７００ａを参照して、登録された選択時間の全サンプルの平均、減衰平均、中央値、又は、最頻値を求める。
【０１１５】
修正部１０５は、指定されたタグが付与されたアイテムの、過去に取得された可視時間の統計値に基づいて、リストを修正する（ステップＳ２０７）。
【０１１６】
例えば、修正部１０５は、選択時間の統計値を短小条件の閾値として、可視時間の統計値が短小条件を満たすか否かを判断し、短小条件を満たす商品をリストにおいて表示される優先度を下げる、あるいは、削除する。
【０１１７】
ステップＳ２０４の処理により、端末の画面にリストが表示されると、取得部１０４は、選択時間を取得する（ステップＳ２０８）。
【０１１８】
例えば、リストが表示されているショッパー端末２００において動作するプログラムが、リスト内のアイテムが選択されたか否かを判断し、アイテムが選択されると、当該アイテムがブラウザ内に出現してから選択されるまでの時間（選択時間）を取得して、サーバ装置１００に送信する。取得部１０４は、送信された時間を受け取り、図１３の可視時間情報テーブル７００ａに登録する。
【０１１９】
（７．実施形態３のサーバ装置の概要構成）
実施形態３のサーバ装置１００は、複数のユーザの可視時間に基づいてリストを修正するものである。
【０１２０】
実施形態３のサーバ装置１００は、図１５に示すように、表示部１０３と、取得部１０４と、修正部１０５と、統計部１０６と、から構成される。
【０１２１】
表示部１０３は、複数の端末の各々の画面に、アイテムを含むリストを表示する。
【０１２２】
例えば、表示部１０３は、複数のショッパー端末２００に、図５に示すような、商品の情報を含むリスト５１０を送信し、それぞれのショッパー端末２００のブラウザ８００にリスト５１０が表示される。また、表示部１０３は、複数のショッパー端末２００に、商品１〜２５、商品４６〜６５の情報を含むリストを送信し、各ショッパー端末２００のブラウザに当該リストが表示される。
【０１２３】
取得部１０４は、複数の端末の各々の画面内にてリストがスクロールされることによって、リストに含まれるアイテムの各々が画面内に出現してから画面内から消失するまでの、複数の端末の各々における可視時間を取得する。
【０１２４】
例えば、取得部１０４は、ショッパーＸのショッパー端末２００において、リスト５１０に含まれる商品１〜４５の情報５００１〜５０４５のそれぞれが、ブラウザ８００に出現してからブラウザ８００から消える迄の時間（可視時間）を取得する。同様に、リストが送信され画面に表示されたショッパー端末２００において、リストに含まれる商品について可視時間を求める。例えば、商品１〜２５、商品４６〜６５が含まれるリストがショッパーＹのショッパー端末２００に送信されたとすると、取得部１０４は、商品１〜２５、商品４６〜６５の情報のそれぞれについて可視時間を取得する。
【０１２５】
統計部１０６は、リストに含まれるアイテムの各々について取得された可視時間の複数の端末全体における統計値を求める。
【０１２６】
例えば、統計部１０６は、複数のショッパーによる可視時間について、商品毎に平均、減衰平均、中央値、又は、最頻値等の統計値を求める。
【０１２７】
修正部１０５は、求められた統計値が短小条件を満たすアイテムのリスト内における順序を下げ、もしくは、当該短小条件を満たすアイテムをリストから削除することにより、リストを修正する。
【０１２８】
修正部１０５は、商品毎に求めた可視時間の統計値のそれぞれと短小条件の閾値を比較する。例えば、商品１について求めた可視時間の統計値が当該閾値よりも小さい場合、修正部１０５は、商品１が含まれるリストにおいて商品１の優先度を下げる、もしくは、削除する。
【０１２９】
修正されたリストは、例えば、ショッパー端末２００において表示更新が行われると、表示されるようにしてもよいし、修正の処理が終了した後に自動的に更新されるようにしてもよい。
【０１３０】
本実施形態によれば、ユーザの興味の度合いが高いアイテムを、リスト内において優先的に表示することができ、ユーザに有益なリストを提供することができる。
【０１３１】
（８．実施形態３のサーバ装置の動作）
本実施形態のサーバ装置１００の動作について説明する。サーバ装置１００は、例えば、電源が投入されると、図１６に示す制御処理を開始する。
【０１３２】
表示部１０３は、リストを端末の画面に表示させる（ステップＳ３０１）。
【０１３３】
例えば、表示部１０３は、複数のショッパー端末２００にリスト５１０を送信し、ショッパー端末２００のブラウザ８００にリスト５１０が表示される。
【０１３４】
取得部１０４は、複数の端末のそれぞれの画面に表示されたリストに含まれるアイテムの可視時間を取得する（ステップＳ３０２）。
【０１３５】
例えば、取得部１０４は、ショッパーＸのショッパー端末２００から、画面に表示されたリスト５１０に含まれる商品１〜４５の情報５００１〜５０４５のそれぞれについて可視時間を取得する。また、取得部１０４は、ショッパーＹのショッパー端末２００から、画面に表示されたリストに含まれる商品１〜２５、４６〜６５の情報のそれぞれについて可視時間を取得する。
【０１３６】
統計部１０６は、リストに含まれるアイテムの各々について取得された可視時間の複数の端末全体における統計値を求める（ステップＳ３０３）。
【０１３７】
例えば、統計部１０６は、複数のショッパーによる可視時間について、商品毎に平均等を求める。
【０１３８】
修正部１０５は、求められた統計値が短小条件を満たすアイテムのリスト内における順序を下げ、もしくは、当該短小条件を満たすアイテムをリストから削除することにより、リストを修正する（ステップＳ３０４）。
【０１３９】
例えば、修正部１０５は、商品１について求めた可視時間の統計値と短小条件の閾値を比較する。そして、商品１について求めた可視時間の統計値が当該閾値よりも小さい場合、修正部１０５は、商品１が含まれるリストにおいて商品１の優先度を下げる。修正部１０５は、他の商品について求めた可視時間の統計値についても同様に処理する。
【０１４０】
なお、上記の各実施形態において、サーバ装置１００が、電子市場での商品検索に用いられる例を示したが、サーバ装置１００の適用はこのような形態に限らない。本願のサーバ装置は、アイテムが含まれるリストが生成されるあらゆる状況に適用可能である。
【０１４１】
また、上記実施形態の対応する各部は、互いに置換可能、又は、互いの機能を付加してもよい。
【０１４２】
本発明は、本発明の広義の精神と範囲を逸脱することなく、様々な実施の形態及び変形が可能とされるものである。また、上述した実施の形態は、この発明を説明するためのものであり、本発明の範囲を限定するものではない。すなわち、本発明の範囲は、実施の形態ではなく、特許請求の範囲によって示される。そして、特許請求の範囲内及びそれと同等の発明の意義の範囲内で施される様々な変形が、この発明の範囲内とみなされる。
【符号の説明】
【０１４３】
１００  サーバ装置
１０１  受付部
１０２  検索部
１０３  表示部
１０４  取得部
１０５  修正部
１０６  統計部
２００、２０１、２０２〜２０ｍ  ショッパー端末
３００、３０１、３０２〜３０ｎ  ショップ端末
４００  インターネット
５１０、５２０  リスト
５００１、５００２〜５０４５  情報
６００  情報処理装置
６０１  ＣＰＵ
６０２  ＲＯＭ
６０３  ＲＡＭ
６０４  記憶装置
６０５  ＮＩＣ
６０６  画像処理部
６０７  音声処理部
６０８  ディスプレイ
６０９  スピーカ
６１０  コントローラ
７００  可視時間情報ＤＢ
８００  ブラウザ
８０１  高さ
９００  メッセージ
【要約】
受付部（１０１）は、端末から、タグを指定する要求を受け付ける。検索部（１０２）は、受け付けられた要求に指定されたタグが付与されたアイテムを検索することにより、当該検索されたアイテムを含むリストを取得する。表示部（１０３）は、端末の画面に、取得されたリストを表示する。取得部（１０４）は、画面内にてリストがスクロールされることによって、リストに含まれるアイテムのそれぞれが画面内に出現してから画面内から消失するまでの、端末における可視時間を取得する。修正部（１０５）は、取得された可視時間が短小条件を満たすアイテムのタグに対する優先度を下げることにより、タグが指定された新たな要求が受け付けられることに起因して取得される新たなリスト内において当該短小条件を満たすアイテムの順位を下げ、もしくは、新たなリストから当該短小条件を満たすアイテムを削除する。【図１】
0006028126.tif 000002
【図２】
0006028126.tif 000003
【図３】
0006028126.tif 000004
【図４】
0006028126.tif 000005
【図５】
0006028126.tif 000006
【図６】
0006028126.tif 000007
【図７】
0006028126.tif 000008
【図８】
0006028126.tif 000009
【図９】
0006028126.tif 000010
【図１０】
0006028126.tif 000011
【図１１】
0006028126.tif 000012
【図１２】
0006028126.tif 000013
【図１３】
0006028126.tif 000014
【図１４】
0006028126.tif 000015
【図１５】
0006028126.tif 000016
【図１６】
0006028126.tif 000017